(57)【要約】  【課題】  簡単な構成により、画像の特徴に応じた強調量の制御を可能とする画像処理技術を提供する。  【解決手段】  処理対象である画像を構成する各画素の画像信号に対して平滑化処理を施す第１のフィルタ処理部１０２と、前記画像信号に対して特定の画像周波数帯域を強調する処理を施す第２のフィルタ処理部１０３と、前記処理対象である画像を構成する各画素が構成している画像の種別を識別するための識別情報に基づいて、第２のフィルタ処理部１０３にて強調処理が施された各画素の画像信号の強調量を変換するための複数の所定の変換情報の内から、該識別情報に対応する変換情報を選択する変換情報選択部１０４と、変換情報選択部１０４にて選択される変換情報に基づいて、第２のフィルタ処理部１０３にて強調処理が施された前記画像信号の強調量を変換する強調量変換部１０５と、第１のフィルタ処理部１０２にて平滑化処理が施された画像信号と、強調量変換部１０５にて強調量が変換された画像信号とを画素毎に合成する信号合成部１０６とを備えてなる。  【選択図】  図１
2007336555.tif 000002
【特許請求の範囲】
【請求項１】
処理対象である画像を構成する各画素の画像信号に対して平滑化処理を施す第１のフィルタ処理部と、
前記画像信号に対して特定の画像周波数帯域を強調する処理を施す第２のフィルタ処理部と、
前記処理対象である画像を構成する各画素が構成している画像の種別を識別するための識別情報に基づいて、前記第２のフィルタ処理部にて強調処理が施された各画素の画像信号の強調量を変換するための複数の所定の変換情報の内から、該識別情報に対応する変換情報を選択する変換情報選択部と、
前記変換情報選択部にて選択される変換情報に基づいて、前記第２のフィルタ処理部にて強調処理が施された前記画像信号の強調量を変換する強調量変換部と、
前記第１のフィルタ処理部にて平滑化処理が施された画像信号と、前記強調量変換部にて強調量が変換された画像信号とを画素毎に合成する信号合成部と
を備えてなる画像処理装置。
【請求項２】
請求項１に記載の画像処理装置において、
前記第２のフィルタ処理部は、処理対象である画像における文字を構成する画素の画像信号を、パッチ領域のエッジ部分を構成する画素の画像信号よりも強調させるように前記強調処理を施すものであり、
前記強調量変換部は、前記変換情報選択部にて選択される変換情報に基づいて、前記第２のフィルタ処理部にて強調処理が施された画像信号のうちパッチ領域のエッジ部分を構成する画素の画像信号の強調量を低減させる画像処理装置。
【請求項３】
請求項１に記載の画像処理装置において、
前記識別情報は、黒文字、色文字および写真のうち少なくともいずれかの画像を構成する画素を識別するための情報である画像処理装置。
【請求項４】
請求項１に記載の画像処理装置において、
処理対象である画像を構成する画素の画像信号に対して、エッジ検出処理、無彩色判定処理および網点判定処理のうち少なくともいずれかを行うことにより、各画素が構成している画像の種別を識別するための識別情報を生成する識別情報生成部を備え、
前記変換情報選択部は、前記識別情報生成部にて生成される識別情報を取得する画像処理装置。
【請求項５】
処理対象である画像を構成する各画素の画像信号に対して平滑化処理を施す第１のフィルタ処理手段と、
前記画像信号に対して特定の画像周波数帯域を強調する処理を施す第２のフィルタ処理手段と、
前記処理対象である画像を構成する各画素が構成している画像の種別を識別するための識別情報に基づいて、前記第２のフィルタ処理手段にて強調処理が施された各画素の画像信号の強調量を変換するための複数の所定の変換情報の内から、該識別情報に対応する変換情報を選択する変換情報選択手段と、
前記変換情報選択手段にて選択される変換情報に基づいて、前記第２のフィルタ処理手段にて強調処理が施された前記画像信号の強調量を変換する強調量変換手段と、
前記第１のフィルタ処理手段にて平滑化処理が施された画像信号と、前記強調量変換手段にて強調量が変換された画像信号とを画素毎に合成する信号合成手段と
を備えてなる画像処理装置。
【請求項６】
請求項５に記載の画像処理装置において、
前記第２のフィルタ処理手段は、処理対象である画像における文字を構成する画素の画像信号を、パッチ領域のエッジ部分を構成する画素の画像信号よりも強調させるように前記強調処理を施すものであり、
前記強調量変換手段は、前記変換情報選択手段にて選択される変換情報に基づいて、前記第２のフィルタ処理手段にて強調処理が施された画像信号のうちパッチ領域のエッジ部分を構成する画素の画像信号の強調量を低減させる画像処理装置。
【請求項７】
請求項５に記載の画像処理装置において、
前記識別情報は、黒文字、色文字および写真のうち少なくともいずれかの画像を構成する画素を識別するための情報である画像処理装置。
【請求項８】
請求項５に記載の画像処理装置において、
処理対象である画像を構成する画素の画像信号に対して、エッジ検出処理、無彩色判定処理および網点判定処理のうち少なくともいずれかを行うことにより、各画素が構成している画像の種別を識別するための識別情報を生成する識別情報生成手段を備え、
前記変換情報選択手段は、前記識別情報生成手段にて生成される識別情報を取得する画像処理装置。
【請求項９】
請求項５に記載の画像処理装置と、
前記信号合成手段にて合成された画像信号に基づいて、シートに対して画像を形成する画像形成手段と
を備えてなる画像形成装置。
【請求項１０】
処理対象である画像を構成する各画素の画像信号に対して平滑化処理を施す第１のフィルタ処理ステップと、
前記画像信号に対して特定の画像周波数帯域を強調する処理を施す第２のフィルタ処理ステップと、
前記処理対象である画像を構成する各画素が構成している画像の種別を識別するための識別情報に基づいて、前記第２のフィルタ処理ステップにて強調処理が施された各画素の画像信号の強調量を変換するための複数の所定の変換情報の内から、該識別情報に対応する変換情報を選択する変換情報選択ステップと、
前記変換情報選択ステップにて選択される変換情報に基づいて、前記第２のフィルタ処理ステップにて強調処理が施された前記画像信号の強調量を変換する強調量変換ステップと、
前記第１のフィルタ処理ステップにて平滑化処理が施された画像信号と、前記強調量変換ステップにて強調量が変換された画像信号とを画素毎に合成する信号合成ステップと
を備えてなる画像処理方法。
【請求項１１】
請求項１０に記載の画像処理方法において、
前記第２のフィルタ処理ステップは、処理対象である画像における文字を構成する画素の画像信号を、パッチ領域のエッジ部分を構成する画素の画像信号よりも強調させるように前記強調処理を施すものであり、
前記強調量変換ステップは、前記変換情報選択ステップにて選択される変換情報に基づいて、前記第２のフィルタ処理ステップにて強調処理が施された画像信号のうちパッチ領域のエッジ部分を構成する画素の画像信号の強調量を低減させる画像処理方法。
【請求項１２】
請求項１０に記載の画像処理方法において、
前記識別情報は、黒文字、色文字および写真のうち少なくともいずれかの画像を構成する画素を識別するための情報である画像処理方法。
【請求項１３】
請求項１０に記載の画像処理方法において、
処理対象である画像を構成する画素の画像信号に対して、エッジ検出処理、無彩色判定処理および網点判定処理のうち少なくともいずれかを行うことにより、各画素が構成している画像の種別を識別するための識別情報を生成する識別情報生成ステップを備え、
前記変換情報選択ステップは、前記識別情報生成ステップにて生成される識別情報を取得する画像処理方法。
【発明の詳細な説明】
【技術分野】
【０００１】
本発明は、画像処理技術に関し、特に画像に対して所定のフィルタ処理を施すフィルタリング技術に関するものである。
【背景技術】
【０００２】
複写機などの画像処理装置において、読取装置により読み取った画像を補正する処理の一つとしてフィルタ処理が施されている。フィルタ処理の特徴として、網点などの周期構造に対する、画像空間周波数に応じたゲインの制御（原稿となる印刷物の網点線数に対応する画像空間周波数の強調を弱めることによる網点の平滑化）によるモアレ抑制の効果や、連続階調における文字エッジなどに対する強調（シャープネス）効果がある。
【０００３】
写真や文字などの画像の特徴を識別する識別処理部からの識別信号に応じて、異なる周波数特性を現すフィルタ係数パラメータを切り換えることが可能であり、例えば原稿中の写真部分にはモアレ抑制の効果を強めたフィルタ係数を設定し、文字部分には文字エッジ強調の効果を強めたフィルタ係数を設定することができる画像処理装置が知られる（特許文献１）。
【０００４】
上記従来の画像処理装置によれば、入力画像信号のサンプリングレート及び処理フローに応じて適切な周波数特性を持つフィルタ係数を選択可能とすることにより、過剰なアンシャープネス処理を必要とすることなく、モアレを抑制することができる。
【特許文献１】特開２００３−２４８８２１号公報
【発明の開示】
【発明が解決しようとする課題】
【０００５】
フィルタ処理に期待される効果の一つとして文字エッジなどに対する強調効果があるが、従来フィルタ処理によると、単一のフィルタで平滑化と強調を行うため強調量の制御に制約があり、連続階調における画像信号値の変化が大きい部分を一律強調する作用があった。したがって、パッチエッジ（一様濃度のパッチ領域のエッジ部分）などのあまり強調したくない部分に対しても過度の強調を施してしまう場合があった。
【０００６】
本発明は上述した問題点を解決するためになされたものであり、簡単な構成により、画像の特徴に応じた強調量の制御を可能とする画像処理技術を提供することを目的とする。
【課題を解決するための手段】
【０００７】
上述した課題を解決するため、本発明に係る画像処理装置は、処理対象である画像を構成する各画素の画像信号に対して平滑化処理を施す第１のフィルタ処理部と、前記画像信号に対して特定の画像周波数帯域を強調する処理を施す第２のフィルタ処理部と、前記処理対象である画像を構成する各画素が構成している画像の種別を識別するための識別情報に基づいて、前記第２のフィルタ処理部にて強調処理が施された各画素の画像信号の強調量を変換するための複数の所定の変換情報の内から、該識別情報に対応する変換情報を選択する変換情報選択部と、前記変換情報選択部にて選択される変換情報に基づいて、前記第２のフィルタ処理部にて強調処理が施された前記画像信号の強調量を変換する強調量変換部と、前記第１のフィルタ処理部にて平滑化処理が施された画像信号と、前記強調量変換部にて強調量が変換された画像信号とを画素毎に合成する信号合成部とを備えてなることを特徴とする構成としている。
【０００８】
また、本発明に係る画像処理装置は、処理対象である画像を構成する各画素の画像信号に対して平滑化処理を施す第１のフィルタ処理手段と、前記画像信号に対して特定の画像周波数帯域を強調する処理を施す第２のフィルタ処理手段と、前記処理対象である画像を構成する各画素が構成している画像の種別を識別するための識別情報に基づいて、前記第２のフィルタ処理手段にて強調処理が施された各画素の画像信号の強調量を変換するための複数の所定の変換情報の内から、該識別情報に対応する変換情報を選択する変換情報選択手段と、前記変換情報選択手段にて選択される変換情報に基づいて、前記第２のフィルタ処理手段にて強調処理が施された前記画像信号の強調量を変換する強調量変換手段と、前記第１のフィルタ処理手段にて平滑化処理が施された画像信号と、前記強調量変換手段にて強調量が変換された画像信号とを画素毎に合成する信号合成手段とを備えてなることを特徴とする構成としている。
【０００９】
また、本発明に係る画像形成装置は、上述のような構成の画像処理装置と、前記信号合成部にて合成された画像信号に基づいて、シートに対して画像を形成する画像形成部とを備えてなることを特徴とする構成としている。
【００１０】
また、本発明に係る画像処理方法は、処理対象である画像を構成する各画素の画像信号に対して平滑化処理を施す第１のフィルタ処理ステップと、前記画像信号に対して特定の画像周波数帯域を強調する処理を施す第２のフィルタ処理ステップと、前記処理対象である画像を構成する各画素が構成している画像の種別を識別するための識別情報に基づいて、前記第２のフィルタ処理ステップにて強調処理が施された各画素の画像信号の強調量を変換するための複数の所定の変換情報の内から、該識別情報に対応する変換情報を選択する変換情報選択ステップと、前記変換情報選択ステップにて選択される変換情報に基づいて、前記第２のフィルタ処理ステップにて強調処理が施された前記画像信号の強調量を変換する強調量変換ステップと、前記第１のフィルタ処理ステップにて平滑化処理が施された画像信号と、前記強調量変換ステップにて強調量が変換された画像信号とを画素毎に合成する信号合成ステップとを備えてなることを特徴とする構成としている。
【発明の効果】
【００１１】
以上に詳述したように本発明によれば、簡単な構成により、画像の特徴に応じた強調量の制御を可能とする画像処理技術を提供することができる。
【発明を実施するための最良の形態】
【００１２】
以下、本発明の実施の形態について図面を参照しつつ説明する。
【００１３】
図１は、本実施の形態による画像処理装置１およびこれを備えた画像形成装置Ｍ（MFP：Multi Function Peripheral）について説明するための機能ブロック図である。
【００１４】
本実施の形態による画像形成装置Ｍは、画像処理装置１および画像形成部２を備えてなる構成となっている。画像処理装置１は、処理対象である画像の画像信号に対して所定のフィルタリング処理を施す役割を有している。また、画像形成部２は、画像処理装置１における処理結果に基づいて、シートへの画像形成処理を行う役割を有している。なお、ここでの処理対象である画像の画像信号とは、ＣＣＤ等から直接出力される画像データ（いわゆるＲＡＷデータ）に対していくつかの所定の処理が施されたデータを例に挙げるが、ＲＡＷデータそのものを処理対象である画像の画像信号とすることもできる。
【００１５】
以下、本実施の形態による画像処理装置１の構成の詳細について説明する。本実施の形態による画像処理装置１は、識別情報生成部１０１、ローパスフィルタ（第１のフィルタ処理部）１０２、バンドパスフィルタ（第２のフィルタ処理部）１０３、変換情報選択部１０４、強調量変換部１０５、信号合成部１０６、ＣＰＵ８０１およびＭＥＭＯＲＹ８０２を備えてなる構成となっている。
【００１６】
識別情報生成部１０１は、処理対象である画像を構成する画素の画像信号に対して、「エッジ検出処理」、「無彩色判定処理」および「網点判定処理」のうち少なくともいずれかを行うことにより、各画素が構成している画像の種別を識別するためのＤＳＣ信号（識別情報）を生成する。ここで、識別情報生成部１０１にて生成されるＤＳＣ信号は、「黒文字」、「色文字」および「写真」のうち少なくともいずれかの画像（処理対象である画像の中に含まれる個々の文字や写真等の画像に相当）を構成する画素を識別するための情報となっている。
【００１７】
識別情報生成部１０１では、文字として識別された画像信号については、ＲＧＢあるいはＣＭＹの各色画像信号の値を比較し、信号値の差が設定した閾値内であれば黒文字であると判定し、ＤＳＣ信号を「黒文字」と「色文字」とに区別する。識別情報生成部１０１にて生成されたＤＳＣ信号は、後述のローパスフィルタ１０２、バンドパスフィルタ１０３および変換情報選択部１０４に対して送信される。
【００１８】
ローパスフィルタ（第１のフィルタ処理部）１０２は、処理対象である画像を構成する各画素の画像信号に対して平滑化処理を施す。ＲＧＢあるいはＣＭＹの画像信号は、ローパスフィルタ１０２におけるフィルタ処理により平滑化された直流成分のみ抽出され、出力される。
【００１９】
バンドパスフィルタ（第２のフィルタ処理部）１０３は、ハイパスフィルタとも呼ばれるものであり、画像信号に対して特定の画像周波数帯域を強調する処理を施す。具体的に、第２のフィルタ処理部１０３は、処理対象である画像における文字を構成する画素の画像信号を、塗りつぶされた図形等の一様濃度のパッチ領域のエッジ部分を構成する画素の画像信号よりも強調させるように強調処理を施すようになっている。バンドパスフィルタ１０３に入力される画像信号ＩＭＧに対しては、フィルタ係数の総和が０となるよう設定し、強調成分Δｘのみ抽出する。
【００２０】
なお、ローパスフィルタ１０２およびバンドパスフィルタ１０３は、識別情報生成部１０１にて生成されたＤＳＣ信号を取得し、当該ＤＳＣ信号に応じてフィルタ係数のパラメータを変更し、所定のフィルタ処理を行う。図２にローパスフィルタ１０２に設定されるフィルタ係数の表す周波数特性を示し、図３にバンドパスフィルタ１０３に設定されるフィルタ係数の表す周波数特性を示す。この例ではバンドパスフィルタ１０３のフィルタ係数を「文字用」と「写真用」とで使い分けており、「文字用」はゲインのピークが高いため強調量が強く、「写真用」はピークを低く抑え、かつカットオフ周波数も低いためモアレ抑制効果が高くなっている。バンドパスフィルタ１０３におけるフィルタ係数の使い分けはＤＳＣ信号に基づいて行なわれる。
【００２１】
変換情報選択部１０４は、識別情報生成部１０１にて生成されるＤＳＣ信号を取得する。変換情報選択部１０４は、上述のようにして取得される「ＤＳＣ信号」に基づいて、第２のフィルタ処理部１０３にて強調処理が施された各画素の画像信号の強調量を変換するための複数のＬＵＴ（ルックアップテーブル）（所定の変換情報）の内から、該ＤＳＣ信号に対応するＬＵＴを選択する。ここでは、「写真用」、「色文字用」および「黒文字用」の３種類のＬＵＴが予め用意され、例えばＭＥＭＯＲＹ８０２に格納されている。
【００２２】
強調量変換部１０５は、変換情報選択部１０４にて選択されるＬＵＴに基づいて、第２のフィルタ処理部１０３にて強調処理が施された画像信号の強調量を変換する。具体的に、強調量変換部１０５は、変換情報選択部１０４にて選択されるＬＵＴに基づいて、例えば第２のフィルタ処理部１０３にて強調処理が施された画像信号のうちパッチ領域のエッジ部分を構成する画素の画像信号の強調量を低減させるようになっている。
【００２３】
信号合成部１０６は、第１のフィルタ処理部１０２にて平滑化処理が施された画像信号と、強調量変換部１０５にて強調量が変換された画像信号とを画素毎に加算合成する。信号合成部１０６にて合成された画像信号は、クリッピング処理等の所定の処理を施された後、後述の画像形成部２に向けて送信される。
【００２４】
ＣＰＵ８０１は、画像処理装置１および画像形成装置Ｍにおける各種処理を行う役割を有しており、またＭＥＭＯＲＹ８０２に格納されているプログラムを実行することにより種々の機能を実現する役割も有している。ＭＥＭＯＲＹ８０２は、例えばＲＯＭやＲＡＭ等から構成されており、画像処理装置１において利用される種々の情報やプログラムを格納する役割を有している。
【００２５】
画像形成部２は、上述のようにして画像処理装置１におけるフィルタリング処理が完了した（信号合成部１０６にて合成された）画像信号に基づいて、シートに対して画像を形成する。
【００２６】
本実施の形態による画像処理装置１では、バンドパスフィルタ１０３によるフィルタ処理後の画像信号レベル（強調量）に応じて強調の度合いをＬＵＴを用いて非線形に変換することが可能であるため、「パッチ領域のエッジ部分を構成する画素」と「文字を構成する画素」の強調量に差があれば、それぞれの強調度合いを区別して調整することができる。また、変換情報選択部１０４にてＬＵＴを選択する基準となるＤＳＣ信号に「黒文字」を識別する信号を含めることにより、黒文字を構成する画素を色文字を構成する画素と区別して判別し、強調量変換部１０５における強調量の変換を黒文字に対して独立して行なうことができる。
【００２７】
バンドパスフィルタ１０３におけるフィルタ処理の結果として出力される強調量Δｘは、そのフィルタ処理の対象となった画素が原稿中のどのような種別の画像を構成するものであるかによって異なる。たとえば文字や線などを構成する画素は強調量が大きく、パッチ領域のエッジ部分を構成する画素の強調量は文字ほど大きくない（図４参照）。
【００２８】
この特徴を利用し、強調量変換部１０５では、例えば図５に示すようなＬＵＴを用いて、強調効果を得たい文字部分を構成する画素の画像信号の強調量は変化させず、強調を抑えたいパッチ領域のエッジ部分を構成する画素の画像信号の強調量は低減させる。このようにすることで、パッチ領域のエッジ部分を構成する画素に関しては、強調量変換部１０５による強調量変換処理を行なわなかった場合と比較して強調量を低減させることができる（図４参照）。
【００２９】
一般に、「黒文字」の再現（強調）はフィルタ処理を行なう上でとりわけ重要視されるため、本実施の形態では、「黒文字」識別された画素については文字重視のＬＵＴを用い、「色文字」識別された画素については文字と他の部分の再現のバランスを考慮したＬＵＴを用いることにより、「色文字」と「黒文字」とで強調量変換の度合いを区別している（図６参照）。また、「写真」識別された画素については、写真用フィルタパラメータが適用されるため、文字識別された部分とは強調量が異なるため、「文字」の場合に使用するＬＵＴとは異なるＬＵＴを用いる。
【００３０】
図７は、本実施の形態による画像処理装置における処理（画像処理方法）の流れについて説明するためのフローチャートである。
【００３１】
識別情報生成部１０１は、処理対象である画像を構成する画素の画像信号に対して、エッジ検出処理、無彩色判定処理および網点判定処理のうち少なくともいずれかを行うことにより、各画素が構成している画像の種別を識別するための識別情報を生成する（識別情報生成ステップ）（Ｓ１０１）。
【００３２】
識別情報は、黒文字、色文字および写真のうち少なくともいずれかの画像を構成する画素を識別するための情報である。
【００３３】
第１のフィルタ処理部１０２は、処理対象である画像を構成する各画素の画像信号に対して平滑化処理を施す（第１のフィルタ処理ステップ）（Ｓ１０２）。
【００３４】
第２のフィルタ処理部１０３は、画像信号に対して特定の画像周波数帯域を強調する処理を施す（第２のフィルタ処理ステップ）（Ｓ１０３）。
【００３５】
変換情報選択部１０４は、処理対象である画像を構成する各画素が構成している画像の種別を識別するための識別情報を取得する。そして、変換情報選択部１０４は、当該識別情報に基づいて、第２のフィルタ処理ステップにて強調処理が施された各画素の画像信号の強調量を変換するための複数の所定の変換情報の内から、該識別情報に対応する変換情報を選択する（変換情報選択ステップ）（Ｓ１０４）。
【００３６】
強調量変換部１０５は、変換情報選択ステップにて選択される変換情報に基づいて、第２のフィルタ処理ステップにて強調処理が施された画像信号の強調量を変換する（強調量変換ステップ）（Ｓ１０５）。
【００３７】
信号合成部１０６は、第１のフィルタ処理ステップにて平滑化処理が施された画像信号と、強調量変換ステップにて強調量が変換された画像信号とを画素毎に合成する（信号合成ステップ）（Ｓ１０６）。
【００３８】
なお、第２のフィルタ処理部１０３は、処理対象である画像における文字を構成する画素の画像信号を、パッチ領域のエッジ部分を構成する画素の画像信号よりも強調させるように強調処理を施すものであり（第２のフィルタ処理ステップ）、強調量変換部１０５は、変換情報選択ステップにて選択される変換情報に基づいて、第２のフィルタ処理ステップにて強調処理が施された画像信号のうちパッチ領域のエッジ部分を構成する画素の画像信号の強調量を低減させるようになっている（強調量変換ステップ）。
【００３９】
なお、上述のフローチャートでは、識別情報生成ステップの後に、第１のフィルタ処理ステップ、第２のフィルタ処理ステップの順に処理を行う例を示しているが、これに限られるものではなく、第１のフィルタ処理ステップは信号合成ステップの実行に先立って行なわれ、第２のフィルタ処理ステップは強調量変換ステップに先立って行なわれていれば、その順序は問わない。
【００４０】
上述の画像処理装置での処理における各ステップは、ＭＥＭＯＲＹ８０２に格納されている画像処理情報やコントロールパネル設定、プリンタドライバ設定などの外部入力情報を基に、ＭＥＭＯＲＹ８０２に格納されている画像処理プログラムをＣＰＵ８０１に実行させ、画像処理装置に設定することにより実現されているものである。
【００４１】
本実施の形態では装置内部に発明を実施する機能が予め記録されている場合で説明をしたが、これに限らず同様の機能をネットワークから装置にダウンロードしても良いし、同様の機能を記録媒体に記憶させたものを装置にインストールしてもよい。記録媒体としては、ＣＤ−ＲＯＭ等プログラムを記憶でき、かつ装置が読み取り可能な記録媒体であれば、その形態は何れの形態であっても良い。またこのように予めインストールやダウンロードにより得る機能は装置内部のＯＳ（オペレーティング・システム）等と共働してその機能を実現させるものであってもよい。
【００４２】
以上のように、本実施の形態によれば、平滑化処理を行うＬＰＦ（ローパスフィルタ）と強調処理を行うＢＰＦ（バンドパスフィルタ）を個別に分け、さらにＢＰＦ後段にはＤＳＣ信号に応じたＬＵＴ（ルックアップテーブル）を用いた強調量変換処理を設けることで、ＢＰＦ処理後の画像信号レベル（強調量）に応じて強調の度合いを非線形に変換することが可能となる。これによって強調量の大きい文字や線については強調量を変化させず（あるいはさらに強調量を大きくし）、強調を抑えたいパッチ領域のエッジ部分などの強調量は低減させるＬＵＴ設定を行うことで、簡単なハードウェア構成で画像の特徴に応じた強調量の制御を可能とすることができる。
【００４３】
さらに、黒文字／色文字に細分した文字識別信号を強調量変換ＬＵＴに用いることで、とりわけ強調効果を得たい黒文字と強調量制御が望まれる色文字の処理を区別することが可能になるという効果を奏する。
【００４４】
本発明を特定の態様により詳細に説明したが、本発明の精神および範囲を逸脱しないかぎり、様々な変更および改質がなされ得ることは、当業者には自明であろう。
【００４５】
以上に詳述したように本発明によれば、簡単な構成により、画像の特徴に応じた強調量の制御を可能とする画像処理技術を提供することができる。
【図面の簡単な説明】
【００４６】
【図１】本実施の形態による画像処理装置１およびこれを備えた画像形成装置Ｍ（MFP：Multi Function Peripheral）について説明するための機能ブロック図である。
【図２】ローパスフィルタ１０２に設定されるフィルタ係数の表す周波数特性を示す図である。
【図３】バンドパスフィルタ１０３に設定されるフィルタ係数の表す周波数特性を示す図である。
【図４】文字を構成する画素とパッチ領域のエッジ部分を構成する画素の強調量の相違について示す図である。
【図５】変換情報選択部にて選択されるＬＵＴの一例を示す図である。
【図６】色文字と黒文字のＬＵＴの違いを示す図である。
【図７】本実施の形態による画像処理装置における処理（画像処理方法）の流れについて説明するためのフローチャートである。
【符号の説明】
【００４７】
Ｍ  画像形成装置、１  画像処理装置、２  画像形成部、１０１  識別情報生成部、１０２  ローパスフィルタ、１０３  バンドパスフィルタ、１０４  変換情報選択部、１０５  強調量変換部、１０６  信号合成部、８０１  ＣＰＵ、８０２  ＭＥＭＯＲＹ。
【図１】
2007336555.tif 000003
【図２】
2007336555.tif 000004
【図３】
2007336555.tif 000005
【図４】
2007336555.tif 000006
【図５】
2007336555.tif 000007
【図６】
2007336555.tif 000008
【図７】
2007336555.tif 000009